(57)【特許請求の範囲】
【請求項１】
機械的な機構によって管口または孔を開閉する栓装置であって、
前記管口または孔をふさぐための蓋体と、
前記蓋体に開閉動作を行わせるための開閉機構と、
前記蓋体に取り付けられた第１の磁石または磁性体と、
前記開閉機構に取り付けられ、前記第１の磁石または磁性体との間で作用する磁力によって前記蓋体を該開閉機構に磁力吸着させる第２の磁石または磁性体とを備え、
前記第１の磁石または磁性体は、前記蓋体の中央裏側に取り付けられ、
前記第２の磁石または磁性体は、前記開閉機構の前記蓋体を支持する先端部分に取り付けられている栓装置。
【請求項２】
請求項１記載の栓装置であって、
さらに、前記開閉機構への前記蓋体の取付位置を規制する規制機構を備える栓装置。
【請求項３】
請求項１または２記載の栓装置であって、
前記第１または第２の磁石または磁性体の少なくとも一方は、露出しない状態で取り付けられている栓装置。
【請求項４】
請求項１〜３記載の栓装置であって、
前記第２の磁石は、前記開閉機構の前記蓋体を支持する先端部分に対して自在に動く形ではなく固定されている栓装置。
【請求項５】
請求項１〜４いずれか記載の栓装置であって、
前記蓋体の中央裏側には、前記第1の磁石または磁性体の外形と同程度となる内径を有する突部が形成されており、
前記第１の磁石または磁性体は、前記突部の内側に保持されている栓装置。
【請求項６】
請求項１〜５いずれか記載の栓装置であって、
前記第１の磁石および前記第２の磁石は、それぞれ径方向に着磁された円形磁石である栓装置。
【発明の詳細な説明】
【技術分野】
【０００１】
本発明は、排水口などの管口や孔に取り付けられ、機械的に開閉可能な機構を備える栓装置に関する。
【背景技術】
【０００２】
従来、排水口などを機械的に開閉可能な排水口装置として、特許文献１記載の装置などが存在した。
図７は従来技術としての排水口装置の断面図である。浴槽の底面に設けられた排水口付近を拡大して示した。この排水口装置では、支柱Ｌの先端部Ｌ１を、蓋体Ｖに設けられたツメＶ１にはめ込むことによって、支柱Ｌに蓋体Ｖが一体的に取り付けられている。支柱Ｌには、上下動させるためのレリースワイヤＷが接続されている。レリースワイヤＷを操作することによって、支柱Ｌおよび蓋体Ｖを上下動させることができ、排水口を開閉することができる。
【先行技術文献】
【特許文献】
【０００３】
【特許文献１】特開２０１１−２４６９０３号公報
【発明の概要】
【発明が解決しようとする課題】
【０００４】
排水口装置においては、蓋体Ｖの開閉を着実に行う必要がある。このため、従来技術においては、蓋体ＶのツメＶ１の弾性力は強く、蓋体Ｖが支柱Ｌに固く保持されるよう構成されていた。蓋体Ｖは、洗浄やメンテナンスのため、着脱することがあるが、蓋体Ｖが支柱Ｌに固く保持される結果、蓋体Ｖを支柱Ｌから脱着するのは容易ではなかった。
従って、蓋体Ｖを支柱Ｌから取り外す際に、無理な力がかかり、蓋体Ｖまたは支柱Ｌを破損するおそれがあった。また、蓋体Ｖの支柱Ｌへの取付不良が生じ、排水口からの漏水が生じるおそれがあった。一般消費者が排水口装置を使用する場合には、これらの不具合が生じるおそれは、一層高かった。
かかる課題は、排水口装置に限るものではなく、管口または孔を機械的に開閉する種々の栓装置に共通の課題であった。本発明は、かかる課題に鑑み、栓装置において、蓋体の脱着を容易かつ確実に行い得るようにすることを目的とする。
【課題を解決するための手段】
【０００５】
本発明は、
機械的な機構によって管口または孔を開閉する栓装置であって、
前記管口または孔をふさぐための蓋体と、
前記蓋体に開閉動作を行わせるための開閉機構と、
前記蓋体に取り付けられた第１の磁石または磁性体と、
前記開閉機構に取り付けられ、前記第１の磁石または磁性体との間で作用する磁力によって前記蓋体を該開閉機構に磁力吸着させる第２の磁石または磁性体とを備えるものである。
【０００６】
本発明の栓装置においては、蓋体と開閉機構とを磁力吸着することができる。従って、蓋体を取り外す際に破損が生じる可能性を抑制できる。また、磁力が作用する範囲に蓋体を近づけるだけで、容易かつ確実に蓋体を開閉機構に取り付けることができる。
本発明において栓装置は、種々の管口または孔に取り付けることができる。例えば、浴槽や洗面台などの槽体から排水するための排水口、または油、粉体、気体を排出するための各種排出口などが挙げられる。
磁石または磁性体（以下、「磁石等」と総称することもある）も種々の組合せで設けることができる。蓋体および開閉機構の双方に磁石を設けても良いし、いずれか一方を鉄その他の磁性体としてもよい。蓋体および開閉機構の双方に磁石を設ける場合、その極性は、吸着方向に磁力が作用する向きとする。
【０００７】
本発明においては、さらに、前記開閉機構への前記蓋体の取付位置を規制する規制機構を備えるものとしてもよい。
管口または孔を閉じるためには、蓋体の位置が重要となる。上記態様によれば、規制機構によって蓋体の取付位置が規制されるため、蓋体を適切な位置に取り付けることができる。
規制機構は、種々の構造が可能である。例えば、開閉機構に軸状の部分があり、ここに蓋体を取り付ける場合、規制機構は、当該軸状の部分と蓋体の中心を一致させるための機構とすることができる。軸状の部分に挿入する部材、または軸状の部分を挿入する部材を蓋体に設けた構造などが該当する。
また、蓋体および開閉機構に、厚み方向に着磁した磁石を用いる場合、これらの磁石を同一の平面形状とすることを規制機構として適用してもよい。相互の磁石が同一形状の場合は、相互の平面形状の図心が略一致する状態が安定的な吸着位置となるため、規制機構としての機能を奏することになるのである。
【０００８】
本発明においては、
前記第１または第２の磁石または磁性体の少なくとも一方は、露出しない状態で取り付けられているものとしてもよい。
こうすることにより、磁石または磁性体の汚損を抑制することができ、磁力の低下を抑制することができる。
上記態様における構造としては、磁石または磁性体を取り付けた部分を覆う蓋部材、被覆部材を設けるものとしてもよいし、蓋体または開閉機構に中空部分を設け、ここに磁石等を封入する構造としてもよい。
【０００９】
本発明において、第１および第２の磁石または磁性体の取り付けは種々の構造を採ることができる。
第１の構造として、
前記第１の磁石または磁性体は、前記蓋体の中央裏側に取り付けられ、
前記第２の磁石または磁性体は、前記開閉機構の前記蓋体を支持する先端部分に取り付けられているものとしてもよい。
かかる構造によれば、蓋体と開閉機構との取り付け部分に、直接磁力を効率的に作用させることができ、蓋体を確実に取り付けることができる。
【００１０】
第２の構造として、
前記第２の磁石または磁性体は、前記開閉機構内に設けられた中空部分に、可動に設けられているものとしてもよい。
かかる構造によれば、中空部分に設けた磁石等を動かすことによって、蓋体を動作させることができる。また、開閉機構の磁石等は中空部分に設けられているため、排出される水等による汚損を防ぐこともできる。
【００１１】
第３の構造として、
前記第２の磁石または磁性体は、前記開閉機構内から前記蓋体に作用する磁力を吸着方向／反発方向に変え得るよう極性が可変な状態で設けられているものとしてもよい。
かかる構造によれば、開閉機構内の磁石等の極性を変えることによって磁力の作用する方向を変化させ、蓋体を動作させることができる。この結果、蓋体を動作させるための開閉機構のストロークを、抑えることができ、装置の小型化を図ることができる。
磁石等の極性を変化させる構造としては、例えば、磁石等を１８０度回転させる構造とすることができる。また、開閉機構内の磁石等を電磁石で構成し、その電流の向きを反転させる構造としてもよい。
【００１２】
本発明において、上述の種々の特徴は、必ずしも全てを備えている必要はない。その一部を省略等したり、適宜、組合せたりして構成することも可能である。
【図面の簡単な説明】
【００１３】
【図１】排水口装置の全体構成を示す説明図である。
【図２】排水口部分の拡大図である。
【図３】蓋体および作動部の拡大断面図である。
【図４】実施例２としての蓋体および作動部の拡大断面図である。
【図５】実施例３としての蓋体および作動部の拡大断面図である。
【図６】実施例３の変形例としての蓋体および作動部の拡大断面図である。
【図７】従来技術としての排水口装置の断面図である。
【発明を実施するための形態】
【実施例１】
【００１４】
本発明の栓装置につき、浴槽の排水口に取り付ける排水口装置として構成した場合の実施例を以下に示す。
図１は、排水口装置１の全体構成を示す説明図である。排水口装置１は、浴槽１００の底板１０１の排水口１０４を開閉するための装置である。開閉機構４を構成する操作ボタン２は、槽体１０２の上部のリム１０３に設けられている。操作ボタン２を押し下げると、その動作がレリースワイヤ３で伝達され、排水口装置１を機械的に開閉することができる。
【００１５】
図２は、排水口部分の拡大図である。
図２（ａ）は、全体構造を示している。図示する通り、排水口１０４の下部には、保持部材８およびシール１０を介して、配管に接続するための配管継手１０６が取り付けられている。保持部材８は、排水口装置１を組み付けるためのホルダー７を配管継手１０６の内側に固定する役割も奏している。ホルダー７の内部には、排水口１０４を閉じるための蓋体６を開閉する機構を支持する支持部材９がとりつけられる。
支持部材９の内側には、レリースワイヤ３の動作によって上下動する作動部５が挿入されており、その先端には、排水口１０４を塞ぐための蓋体６が取り付けられている。
【００１６】
図２（ｂ）はホルダー７の斜視図である。図示する通り、ホルダー７は環状の部材であり、その内側には、突起７３が４箇所に設けられている。
図２（ｃ）は支持部材９の斜視図である。図示する通り、支持部材９は、中心に作動部５が挿入されるシリンダ９１を有している。シリンダ９１には、可撓性を持たせ、作動部５を挿入しやすくするためのスリット９１Ｃが設けられている。また、シリンダ９１の内側上方には、作動部５が突出することを規制するためのストッパ９１Ａが設けられている。
シリンダ９１の外側には、４方向に突出したアーム部９２が設けられている。各アーム部９２が、ホルダー７の突起７３（図２（ｂ）参照）の上に乗るように、支持部材９はホルダー７に組み付けられる。
【００１７】
図３は、蓋体６および作動部５の拡大断面図である。図の上方に蓋体６、下方に作動部５を分離した状態で示した。作動部５については、断面ではなく外観側面図を示してある。蓋体６は、図中に破線の矢印で示した通り、指示部５の頂部に取り付け可能となっており、後述する通り、両者は磁力によって吸着される。本実施例では、蓋体６および作動部５ともに平面形状は円形であるが、その他の形状としてもよい。
作動部５は、樹脂で成形されており、円筒状の筒状部材５２と、支柱５１を有している。筒状部材５２は、支持部材９に挿入されており、支持部材９がホルダー７に取り付けられることにより強固に固定されている。
支柱５１は、筒状部材５２の内側をレリースワイヤ３の動作に従って上下動する。支柱５１の頂部には、磁石５３が接着されている。
磁石５３の取り付けは、接着以外の方法をとってもよい。支柱５１に磁石５３の外形と同程度の凹部を形成し、ここに磁石５３をはめ込む方法をとってもよい。さらに、凹部に磁石５３をはめ込んだ後、蓋をし、磁石５３が露出しないようにしてもよい。また、別の方法として、磁石５３を支柱５１の頂部に接着した後、その外周を樹脂で被覆してもよい。いずれの方法をとることも可能であるが、支柱５に対して蓋体６を規定された位置に固定可能とするためには、磁石５３が支柱５に対して自在に動く形で取り付けるのではなく、磁石５３を支柱５に対して固定できる方法をとることが好ましい。
【００１８】
蓋体６は、樹脂または金属で形成することができる。蓋体６の本体６１は上方に凸に湾曲した円盤状の部材である。以下では、凸側になっている上面を表、逆側の下面を裏面と呼ぶこともある。
蓋体６の裏面には、ゴム製の円環状のパッキン６２が取り付けられている。また、最も凸になっている頂部の裏面には、円盤形状の磁石６３が接着されている。
【００１９】
裏面にはさらに２つの円筒状の突部６４、６５が設けられている。
突部６５は、その内側に磁石６３を保持するために設けられている。本実施例では、磁石６３は円盤状のものを用いているから、突部６５は、その内径が、磁石６３の外形と同程度となる筒状とすることが好ましい。こうすることによって磁石６３を、その位置が径方向にずれないよう保持することができ、蓋体６を支柱５１の適切な位置に固定可能となる。突部６５にはめ込むことによって磁石６３を十分に保持できる場合には、磁石６３の接着を省略してもよい。
実施例では、磁石６３は露出しているが、突部６５に蓋をして磁石６３を覆うようにしてもよいし、磁石６３を取り付けた後、磁石の外周を樹脂で被覆してもよい。
突部６５は、蓋体６に必須の構成ではなく、蓋体６の裏面に磁石６３が十分堅固に保持できる場合は、突部６５を省略した形状としてもよい。
【００２０】
突部６４は、図示する通り、蓋体６を支柱５１に取り付けた際に、図中に破線で示した突部６４ａの部位に位置し、保持部材９の外周にはまる円筒状の部位である。突部６４の内径は、蓋体６の上下動を妨げないよう、保持部材９の外径よりもわずかに大きい程度となっている。また、突部６４の突出長は、排水口を閉じる方向に蓋体６を引き込んだ状態でも保持部材９に干渉しない程度とされている。
このように、突部６４が保持部材９にはまることによって、蓋体６の径方向の位置が規制され、ひいては支柱５１と蓋体６との位置関係も規制される。この結果、蓋体６が排水口を偏りなく塞ぐことができる。
実施例では、突部６４を円筒状の形状としたが、上述の規制作用を奏し得るものであればよく、突部６４に代えて、平面または湾曲面の壁を周方向に複数箇所設ける構造としてもよい。また、蓋体６の径方向の位置を規制する構造としては、突部６４に代えて、保持部材９の内側に挿入される部材を設けてもよいし、突部６５の突出長を支柱５１の磁石５３の外周にはまる程度に長くしてもよい。これらの規制機構としての種々の構造は、蓋体６に必須のものではなく、省略してもよい。
【００２１】
実施例では、蓋体６と支柱５１とを、磁石５３、６３の磁力によって吸着する。従って、磁石５３、６３の極性は、吸着方向に磁力Ｆが作用するようにしておくことが好ましい。例えば、磁石５３、６３がそれぞれ厚み方向に着磁している場合は、Ｎ極とＳ極とが対向するよう磁石５３、６３を取り付ければよい。
磁石５３、６３は、径方向に着磁しているものを用いてもよい。この場合、蓋体６を平面内で回転させれば、いずれかの位置で蓋体６と支柱５１とが吸着する。従って、蓋体６および支柱５１を製造する際に磁石５３、６３の極性を意識する必要がなくなる利点がある。また、径方向に着磁させてある場合には、蓋体６を支柱５１から取り外す際には、ネジを緩めるかのように蓋体６を回転させることによって、磁力が反発し容易に取り外し可能となる。かかる動作は、はずすための操作として一般消費者の感覚にも合う利点もある。
磁石５３、６３の素材は、種々選択可能であるが、蓋体６を堅固に保持可能とするため、ネオジム系を用いることが好ましい。
蓋体６を支柱５１に磁力で吸着させるためには、磁石５３、６３の一方を、鉄などの磁性体に置き換えても良い。
【００２２】
以上で説明した実施例１の排水口装置によれば、蓋体６を磁力で支柱５１に吸着させることができる。従って、蓋体６の脱着が容易となり、取り外し時の破損や、取り付け不良に伴う漏れなどの不具合を抑制することができる。
また、排水口装置に、蓋体６と支柱５１との取り付け位置を規制する規制機構を設けることにより、蓋体６と支柱５１の中心が一致する位置などの適正な位置に蓋体６を取り付けることができる。こうすることで、蓋体６が排水口を偏りなく塞ぐことが可能となる。
【実施例２】
【００２３】
図４は、実施例２としての蓋体６ａおよび作動部５ａの拡大断面図である。実施例１と同様、蓋体６ａを磁力で作動部５ａに吸着させる構造であるが、磁石の取り付け構造が相違する。
作動部５ａは、樹脂で成形されており、支持部材９に挿入され固定された円筒状の筒状部材５２ａと、レリースワイヤ３の動作によって上下動する支持部材５１ａを有している。
実施例１と異なり、筒状部材５２ａの頂部は、完全に閉じた状態となっている。
支持部材５１ａの頂部には、磁石５３ａが接着されている。磁石５３ａについては、実施例１と同様、種々の取り付け方法をとることができる。
【００２４】
蓋体６ａは、樹脂または金属で形成され、実施例１と同様、裏面には、ゴム製の円環状のパッキン６２が取り付けられている。
ただし、実施例１と異なり、裏面の突部６５ａには、磁石はとりつけられていない。実施例２では、蓋体６ａの強度を保つために突部６５ａを設けてあるが、省略することもできる。
蓋体６ａの裏面には、実施例１と同様、保持部材９の外周にはまる円筒状の突部６４ａが設けられている。突部６４ａの先端には、突部６４ａと同形の環状の磁石６３ａが接着されている。突部６４ａおよび磁石６３ａの内径は、蓋体６ａの上下動を妨げないよう、保持部材９の外径よりもわずかに大きい程度となっている。また、突部６４ａと磁石６３ａを合わせた突出長は、排水口を閉じる方向に蓋体６ａを引き込んだ状態でも保持部材９に干渉しない程度とされている。
磁石６３ａは、環状の磁石を接着する方法の他、磁石粉末を樹脂に混ぜた樹脂磁石で構成してもよい。樹脂磁石を用いることにより、突部６４ａおよび磁石６３ａを比較的容易に成形することができる利点がある。
【００２５】
実施例２では、蓋体６ａと支持部材５１ａとを、磁石５３ａ、６３ａの磁力Ｆ２によって吸着する。実施例１では軸方向に磁力を作用させたのに対し、実施例２では径方向に磁力を作用させる点で相違する。磁石５３ａ、６３ａの極性は、吸着方向に磁力Ｆ２が作用するようになっており、例えば、磁石５３ａ、６３ａともに径方向に着磁したものを用いる方法が可能である。また、磁石５３ａ、磁石６３ａともに厚み方向（図の上下方向）に着磁したものを用いてもよい。例えば、磁石５３ａが上側Ｎ極、下側Ｓ極に着磁している場合には、磁石６３ａは、下側Ｓ極、上側Ｎ極となるよう着磁させておけばよい。こうすれば、取り付け過程で一時的に蓋体６ａと支持部材５１ａとの間に斥力が発生するものの、適正な位置まで蓋体６ａを押し込めば、両者を磁力吸着させることができる。
なお、実施例１と同様、磁石５３ａ、６３ａの一方を、鉄などの磁性体に置き換えても良い。
【００２６】
実施例２の排水口装置においても、実施例１と同様、蓋体６ａを磁力で支持部材５１ａに磁力吸着させることができる。実施例２では、磁石５３ａは完全に筒状部材５２ａの内部に封入された状態であるため、排水などによる汚損を防止することができる利点もある。
【実施例３】
【００２７】
図５は、実施例３としての蓋体６および作動部５ｂの拡大断面図である。蓋体６の構造は実施例と同一であるが、作動部５ｂの構造が相違する。
図５（ａ）に示す通り、作動部５ｂは、樹脂で成形されており、支持部材９に挿入され固定された円筒状の筒状部材５２ｂと、レリースワイヤ３の動作によって上下動する支持部材５１ｂを有している。
実施例２と同様、筒状部材５２ｂの頂部は、完全に閉じた状態となっている。筒状部材５２ｂの内部には、段部５２ｃが設けられている。段部５２ｃの作用については後述する。
支持部材５１ｂの頂部には、突出部５１ｃが設けられており、支持部材５１ｂの中心軸と直交する軸周り（即ち、図５（ａ）の平面内）に磁石５３ｂを回転可能に軸支している。
【００２８】
実施例３では、磁石５３ｂからの斥力によって排水口を開口する方向に動作させる。以下、この動作について説明する。
図５（ａ）は、排水口を開口する状態を示している。支持部材５１ｃが上方にある場合には、磁石５３ｂと磁石６３との間に斥力Ｆ３が作用するようにしておく。例えば、磁石６３の下面がＳ極であれば、図５（ａ）の状態では、磁石５３ｂの上面がＳ極となるようにしておく。磁石６３は面方向に着磁しており、磁石５３ｂは径方向（図中の長手方向）に着磁したものを用いる。
こうすることにより蓋体６は、支持部材５１ｂから反発を受け、開口部を開くことができる。
【００２９】
次に、図５（ｂ）に示すように、支持部材５１ｂを矢印Ｄに示すように下側に引き込む。磁石５３ｂには、斥力Ｆ３が作用しており不安定な姿勢にあるため回転しようとする。しかし、段部５２ｃによって図中の時計回りの回転は規制されている。従って、磁石５３ｂは、矢印Ｒ方向に回転する。この結果、蓋体６への斥力Ｆ３は作用しなくなり、蓋体６で排水口を塞ぐことができる。また、段部５２ｃは、水平状態よりも斜めに傾いた状態、即ちこの例ではＮ極がＳ極よりも上になる状態で磁石５３ｂの回転を規制する寸法で構成されている。従って、磁石５３ｂは回転した結果、斜めに保持され、図のＦ４に示すように中心よりもやや偏った状態で吸着力を作用させることができる。この磁力は、斥力に比して弱いが、蓋体６は水圧で排水口に押しつけられるため、蓋体６を十分保持することが可能である。
再度、排水口を開く場合には、支持部材５１ｂを図５（ａ）の状態にスライドすればよい。この過程で、磁石５３ｂは、段部５２ｃにより回転し、蓋体６との間に斥力Ｆ３が作用し、排水口を開けることができる。
実施例３では、支持部材５１ｂが上側にあるとき（図５（ａ）の状態）に斥力が作用するよう、磁石５３ｂ、６３の極性を定めた。これは、浴槽などの排水口への取り付けを考えた場合、排水口を開ける際には、水圧に抵抗するだけの強い斥力が必要となるからである。
【００３０】
図６は、実施例３の変形例としての蓋体６および作動部５ｂの拡大断面図である。
実施例２と同様、筒状部材５２ｂの頂部は、完全に閉じた状態となっている。筒状部材５２ｂの内部には、突起５２ｄが設けられている。
【００３１】
図６（ａ）は、排水口を開口する状態を示している。支持部材５１ｃが上方にある場合には、磁石５３ｂと磁石６３との間に斥力Ｆ３が作用するようにしておく。例えば、磁石６３の下面がＳ極であれば、図６（ａ）の状態では、磁石５３ｂの上面がＳ極となるようにしておく。
【００３２】
次に、図６（ｂ）に示すように、支持部材５１ｂを矢印Ｄに示すように下側に引き込む。実施例３の筒状部材５２ｂの内側には突起５２ｄが設けられているから、引き込みの過程で、磁石５３ｂは、矢印Ｒ方向に回転し、極性が反転する。つまり、引き込み前は上側がＮ極であったものが、引き込み後は、上側がＳ極となる。この結果、蓋体６を吸着する方向に磁力Ｆ４を作用させることができ、蓋体６で排水口を塞ぐことができる。
再度、排水口を開く場合には、支持部材５１ｂを図６（ａ）の状態にスライドすればよい。この過程で、磁石５３ｂは、突起５２ｄにより回転し、極性が反転する。この結果、蓋体６との間に斥力Ｆ３が作用し、排水口を開けることができる。
【００３３】
実施例３の排水口装置においても、実施例１と同様、蓋体６を磁力で支持部材５１ｂに磁力吸着させることができる。また、実施例３では、磁石５３ｂの極性を反転させることによって蓋体６を開閉することができるため、支持部材５１ｂの上下動のストロークを、蓋体６の上下動のストロークよりも小さくすることが可能となり、装置の小型化を図ることができる利点がある。
実施例３では、永久磁石を用いた例を示したが、磁石５３ｂとして電磁石を用いても良い。こうすれば、電流の向きを反転させるだけで磁石５３ｂの極性を反転させられるため、構造を簡略化することができる。電磁石５３ｂを用いる場合、水圧で蓋体６が十分に排水口に抑えられる程度に浴槽に水がたまった後は、蓋体６を吸着させておく必要はなくなるから、電磁石５３ｂへの通電を停止してもよい。こうすれば、省電力化を図ることもできる。
【００３４】
以上、本発明の種々の実施例について説明した。以上の実施例で説明した種々の特徴は、必ずしも全てを備えている必要はなく、一部を省略したり、適宜、組み合わせて用いたりしてもよい。
また、本発明は、上述の実施例に限らず、種々の変形例をとることができる。
例えば、実施例では、円形の排水口に適用する例を示したが、本発明の排水口装置は、非円形の排水口に適用することもできる。また、排水口以外にも、油、気体など種々の管口や孔の開閉に適用可能である。
【産業上の利用可能性】
【００３５】
本発明は、排水口などの管口や孔に取り付けられ、機械的に開閉可能な機構を備える栓装置の着脱構造に適用することができる。
【符号の説明】
【００３６】
１…排水口装置
２…操作ボタン
３…レリースワイヤ
４…開閉機構
５、５ａ、５ｂ…作動部
６、６ａ…蓋体
７…ホルダー
８…保持部材
９…支持部材
５１、５１ａ…支柱
５１ｂ…支持部材
５１ｃ…突出部
５２、５２ａ、５２ｂ…筒状部材
５２ｃ…段部
５２ｄ…突起
５３、５３ａ、５３ｂ…磁石
６１…本体
６２…パッキン
６３、６３ａ…磁石
６４、６４ａ、６５、６５ａ…突部
７３…突起
９１…シリンダ
９１Ａ…ストッパ
９１Ｃ…スリット
９２…アーム部
１０…シール
１００…浴槽
１０１…底板
１０２…槽体
１０３…リム
１０４…排水口
１０６…配管継手
【図１】
0005936912.tif 000002
【図２】
0005936912.tif 000003
【図３】
0005936912.tif 000004
【図４】
0005936912.tif 000005
【図５】
0005936912.tif 000006
【図６】
0005936912.tif 000007
【図７】
0005936912.tif 000008